(57)【特許請求の範囲】
【請求項１】
全基地局共通の第１の拡散符号を用いて基地局からの送信信号のタイミングを特定する段階と、前記各基地局固有の第２の拡散符号を含む複数の第２の拡散符号を用いて前記送信信号を逆拡散するための前記各基地局固有の第２の拡散符号を特定する段階とを有するとともに、受信する周波数チャンネルを切り換えて基地局を検索するサーチ方法において、
受信した前記基地局からの送信信号の信号強度を測定する段階と、
測定した前記信号強度を、所定の閾値と比較する段階と、
前記基地局固有の第２の拡散符号を特定した後に、前記信号強度と前記所定の閾値との比較結果に基づいて、次に検索する受信周波数チャンネルを、現在検索した受信周波数チャンネルに隣接する周波数チャンネル、及び、現在検索した受信周波数チャンネルから複数チャンネル分離れた周波数チャンネルのいずれかに設定することで決定する段階と、
を有することを特徴とするサーチ方法。
【請求項２】
設定された前記各周波数チャンネルの周波数帯域全域における前記送信信号の信号強度が測定され、該信号強度を所定の第１閾値と比較することで、次に受信する周波数チャンネルを決定することを特徴とする請求項１に記載のサーチ方法。
【請求項３】
前記信号強度が前記第１閾値より低くなるとき、前記送信信号のタイミング及び前記第２の拡散符号の特定を行わずに、現在検索した受信周波数チャンネルから複数チャンネル分離れた周波数チャンネルを、次に切り換える周波数チャンネルとして設定し、
一方、前記信号強度が前記第１閾値以上となるとき、前記送信信号のタイミング及び前記第２の拡散符号の特定を行った後、現在検索した受信周波数チャンネルに隣接する周波数チャンネルを、次に切り換える周波数チャンネルとして設定することを特徴とする請求項２に記載のサーチ方法。
【請求項４】
前記第１の拡散符号に同期する前記送信信号の信号強度が測定され、該信号強度を所定の第２閾値と比較することで、前記各基地局固有の第２の拡散符号を特定するか否かを決定することを特徴とする請求項１〜請求項３のいずれかに記載のサーチ方法。
【請求項５】
前記信号強度が前記第２閾値以上となるとき、前記各基地局固有の第２の拡散符号を特定するとともに、現在検索した受信周波数チャンネルに隣接する周波数チャンネルを、次に切り換える周波数チャンネルとして設定し、
一方、前記信号強度が前記第２閾値より低くなるとき、前記各基地局固有の第２の拡散符号を特定することなく、現在検索した受信周波数チャンネルに隣接する周波数チャンネルを、次に切り換える周波数チャンネルとして設定することを特徴とする請求項４に記載のサーチ方法。
【請求項６】
前記第２の拡散符号に同期する前記送信信号の信号強度が測定され、該信号強度を所定の第３閾値と比較することで、次に受信する周波数チャンネルを決定することを特徴とする請求項１〜請求項５のいずれかに記載のサーチ方法。
【請求項７】
前記信号強度が前記第３閾値以上となるとき、現在検索した受信周波数チャンネルから複数チャンネル分離れた周波数チャンネルを、次に切り換える周波数チャンネルとして設定し、
一方、前記信号強度が前記第３閾値より低くなるとき、現在検索した受信周波数チャンネルに隣接する周波数チャンネルを、次に切り換える周波数チャンネルとして設定することを特徴とする請求項６に記載のサーチ方法。
【請求項８】
前記第１の拡散符号に同期する前記送信信号の信号強度が測定され、該信号強度を所定の第４閾値と比較する段階を有し、
前記第１の拡散符号に同期する前記送信信号の前記信号強度と前記第４閾値との比較結果によって、前記基地局からの送信信号のタイミングを特定した後に次に受信する周波数チャンネルを決定するか、又は、前記基地局固有の第２の拡散符号を特定した後に次に受信する周波数チャンネルを決定するかを、決定することを特徴とする請求項１〜請求項７のいずれかに記載のサーチ方法。
【請求項９】
全基地局共通の第１の拡散信号を用いて基地局からの送信信号のタイミングを特定する段階と、前記各基地局固有の第２の拡散符号を含む複数の第２の拡散符号を用いて前記送信信号を逆拡散するための前記各基地局固有の第２の拡散符号を特定する段階とを有するとともに、受信する周波数チャンネルを切り換えて基地局を検索するサーチ方法において、
受信した前記基地局からの送信信号の信号強度を測定する段階と、
測定した前記信号強度を、所定の閾値と比較する段階と、
受信する前記周波数チャンネルを決定する段階と、
を有し、
前記信号強度と前記所定の閾値との比較結果によって、前記基地局からの送信信号のタイミングを特定した後に現在検索した受信周波数チャンネルと異なる次に受信する周波数チャンネルを決定するか、又は、前記基地局固有の第２の拡散符号を特定した後に現在検索した受信周波数チャンネルと異なる次に受信する周波数チャンネルを決定するかを、決定することを特徴とするサーチ方法。
【請求項１０】
前記第１の拡散符号に同期する前記送信信号の前記信号強度が測定され、該信号強度を前記所定の閾値と比較することを特徴とする請求項９に記載のサーチ方法。
【請求項１１】
前記信号強度が前記所定の閾値以上となるとき、前記基地局固有の第２の拡散符号の特定動作を行い、
一方、前記信号強度が前記所定の閾値より低くなるとき、前記基地局固有の第２の拡散符号の特定動作を行わないことを特徴とする請求項９又は請求項１０に記載のサーチ方法。
【請求項１２】
前記第２の拡散符号を特定する段階が、
第３の拡散符号を用いて、前記基地局固有の第２の拡散符号の属するグループを判定する段階と、
該グループ内の複数の第２の拡散符号より、前記各基地局固有の第２の拡散符号を特定する段階とによって、
構成されることを特徴とする請求項１〜請求項１１に記載のいずれかに記載のサーチ方法。
【請求項１３】
周波数チャンネルを切り換えて基地局からの送信信号を受信する無線部と、前記無線部で受信された送信信号から前記基地局の検索を行うサーチャ部と、前記無線部及び前記サーチャ部の制御を行う制御部とを有し、受信する前記周波数チャンネルを切り換えて、切り換えた前記周波数チャンネル毎に、全基地局共通の第１の拡散符号を用いて基地局からの送信信号のタイミングを特定した後に、前記各基地局固有の第２の拡散符号を含む複数の第２の拡散符号を用いて前記送信信号を逆拡散するための前記各基地局固有の第２の拡散符号を特定して、基地局を検索する通信端末装置において、
前記送信信号の信号強度を測定する信号強度測定部と、
所定の閾値を有するとともに、前記信号強度測定部で測定された前記送信信号の信号強度を前記所定の閾値と比較して、比較結果を前記制御部に送出する信号強度比較部と、
を有し、
前記制御部が、前記信号強度比較部より与えられる前記比較結果に基づいて、次に検索する受信周波数チャンネルを、現在検索した受信周波数チャンネルに隣接する周波数チャンネル、及び、現在検索した受信周波数チャンネルから複数チャンネル分離れた周波数チャンネルのいずれかに設定して、前記無線部を制御することを特徴とする通信端末装置。
【請求項１４】
前記信号強度測定部において、前記無線部で受信されている前記周波数チャンネルの周波数帯域全域における前記送信信号の前記信号強度が測定されることを特徴とする請求項１３に記載の通信端末装置。
【請求項１５】
前記信号強度測定部において、前記サーチャ部において、前記第１の拡散符号に同期した前記送信信号の前記信号強度が測定されることを特徴とする請求項１３又は請求項１４に記載の通信端末装置。
【請求項１６】
前記信号強度測定部において、前記サーチャ部において、前記第２の拡散符号に同期した前記送信信号の前記信号強度が測定されることを特徴とする請求項１３〜請求項１５のいずれかに記載の通信端末装置。
【請求項１７】
前記信号強度測定部において、前記サーチャ部において、前記第１の拡散符号に同期した前記送信信号の前記信号強度が測定され、
前記制御部において、前記信号強度比較部における前記第１の拡散符号に同期する前記送信信号の前記信号強度と前記所定の閾値との比較結果によって、前記各基地局固有の第２の拡散符号を特定するか否かを決定して、前記サーチャ部を制御することを特徴とする請求項１３〜請求項１６のいずれかに記載の通信端末装置。
【請求項１８】
前記第２の拡散符号を特定する際、
第３の拡散符号を用いて、前記基地局固有の第２の拡散符号の属するグループを判定した後に、
該グループ内の複数の第２の拡散符号より、前記各基地局固有の第２の拡散符号を特定することを特徴とする請求項１３〜請求項１７に記載のいずれかに記載の通信端末装置。
【発明の詳細な説明】
【０００１】
【発明の属する技術分野】
本発明は、ＣＤＭＡ（Code Division Multiple Access）方式の移動通信システムにおけるサーチ方法及びこのサーチ方法を用いる通信端末装置に関するもので、特に、ＷＣＤＭＡ（Wideband Code Division Multiple Access）方式などの次世代ＣＤＭＡ方式による移動通信システムにおいて用いられるサーチ方法及びこのサーチ方法を用いる通信端末装置に関する。
【０００２】
【従来の技術】
スペクトル拡散通信及びスペクトル拡散通信技術を利用したＣＤＭＡ方式は、マルチパスフェージングに強い、データの高速化が可能、通信品質が良好、周波数利用効率が高いなどの特徴を有している。よって、スペクトル拡散通信及びＣＤＭＡ方式は、次世代の移動通信及びマルチメディア移動通信に有望な通信方式として注目されている。このスペクトル拡散通信及びＣＤＭＡ方式に用いられる送信信号は、拡散符号を用いたスペクトル拡散が行われることで、伝送すべき信号の帯域幅が本来の帯域幅よりもはるかに広い帯域幅に拡散されて送信される。このような送信信号が受信されると、逆拡散が施されることによって、元の帯域幅に復元される。
【０００３】
このようなスペクトル拡散を用いた送信信号を扱うＣＤＭＡ方式を用いた次世代移動通信システムにおいて、ＷＣＤＭＡ方式などの次世代ＣＤＭＡ方式が用いられようとされている。この次世代ＣＤＭＡ方式を用いた移動通信システム（以下、「次世代ＣＤＭＡ移動通信システム」と呼ぶ）では、１チャンネル毎に、５ＭＨｚ程度の周波数帯域幅を持つようなシステムが実用化されようとしている。
【０００４】
この次世代ＣＤＭＡ移動通信システムは、全世界共通の通信端末装置でグローバルローミングが可能となるように、世界でほぼ共通の周波数帯域が割り当てられている。又、その通信方式も、３ＧＰＰ（3rd Generation Partnership Project）によって規格化されている。この規格において、６０ＭＨｚの周波数帯域内に２９９の周波数チャンネルが設定されており、国や事業者毎に、特定の周波数チャンネルが割り当てられる。通信端末装置は、２９９の周波数チャンネル毎に、基地局からの送信信号をセルサーチして、通信可能な基地局を認識することにより、グローバルローミングを可能とする。
【０００５】
又、図７に、従来の通信端末装置の受信部の内部構成を示すブロック図を示す。図７の構成の通信端末装置は、アンテナ１で受信した信号を、無線部２でゲイン調整して中間周波数信号に変換し、Ａ／Ｄ変換器３でデジタル信号に変換する。このデジタル信号が、逆拡散同期部４でＰＮ拡散符号を用いた逆拡散が行われた後、マルチパス現象による信号成分を合成するレイク合成機能を果たす情報復調部５で信号成分の合成が成されるとともに同期検波が成されて復調される。
【０００６】
又、デジタル信号は、サーチャ部６にも与えられ、サーチャ部６で、例えば、「3GPP仕様TS25.214v3.4.0Annex C」に記載されるアルゴリズムが実行されて、セルサーチが行われ、受信する基地局を設定するためのセルと、受信信号をレイク合成するためのパスの設定が行われる。この設定されたセルとパスが制御部７に与えられると、無線部２を制御部７が制御する。そして、無線部２が、この設定されたセルのチャンネルに応じて、基地局からの送信信号を受信する。又、情報復調部５が、同様に設定されたパスのタイミングに応じて無線部２で時間遅延して受信された同一セルの基地局からの送信信号を、レイク合成する。
【０００７】
更に、このように、情報復調部５で逆拡散同期部４からのデジタル信号の復調が行われる際、まず、情報復調部５では、既知の符号であるシンボルが伝送される共通パイロットチャンネルのシンボルを演算処理することにより、受信周波数の誤差などを補正するための伝搬路推定値を得る。そして、この伝搬路推定値に応じた複素共役を用いて、逆拡散同期部４からのデジタル信号に対して複素乗算することで、復調することができる。
【０００８】
この通信端末装置において、サーチャ部６では、第１〜第３ステージ（この第１〜第３ステージの詳細については、【発明の実施の形態】で説明する）の３段階で、受信信号の受信タイミング（パス）の特定及び、セルのＰＮ拡散符号の特定が行われる。又、第２ステージを省略した２段階のセルサーチが行われることもある。
【０００９】
【発明が解決しようとする課題】
しかしながら、上述のような通信端末装置では、１チャンネル毎に、セルサーチを行うため、例えば、６０ＭＨｚ帯域の全帯域においてセルサーチを行う場合、２９９チャンネル全てについて、セルサーチを行う必要がある。よって、３段階のセルサーチが行われる場合は特に、基地局をサーチして送信信号を受信するまでのサーチ時間が長くなってしまい、電源ＯＮ時などにおいて、実際に通信が可能になるまでに長時間を要してしまう。又、このように長時間のセルサーチを行うために、セルサーチ動作に多くの消費電力が費やされてしまうという問題もある。
【００１０】
このような問題を鑑みて、本発明は、セルサーチ動作に費やされる時間及び消費電力を削減することができるサーチ方法及び通信端末装置を提供することを目的とする。
【００１１】
【課題を解決するための手段】
上記目的を達成するために、本発明のサーチ方法は、全基地局共通の第１の拡散符号を用いて基地局からの送信信号のタイミングを特定する段階と、前記各基地局固有の第２の拡散符号を含む複数の第２の拡散符号を用いて前記送信信号を逆拡散するための前記各基地局固有の第２の拡散符号を特定する段階とを有するとともに、受信する周波数チャンネルを切り換えて基地局を検索するサーチ方法において、受信した前記基地局からの送信信号の信号強度を測定する段階と、測定した前記信号強度を、所定の閾値と比較する段階と、前記基地局固有の第２の拡散符号を特定した後に、前記信号強度と前記所定の閾値との比較結果に基づいて、次に検索する受信周波数チャンネルを、現在検索した受信周波数チャンネルに隣接する周波数チャンネル、及び、現在検索した受信周波数チャンネルから複数チャンネル分離れた周波数チャンネルのいずれかに設定することで決定する段階と、を有することを特徴とする。
【００１２】
このようなサーチ方法において、設定された前記各周波数チャンネルの周波数帯域全域における前記送信信号の信号強度が測定され、該信号強度を所定の第１閾値と比較することで、次に受信する周波数チャンネルを決定するようにしても構わない。
【００１３】
このとき、前記信号強度が前記第１閾値より低くなるとき、この周波数チャンネル近辺のチャンネルを利用する基地局が検索されないと判断され、前記タイミング及び前記第２の拡散符号の特定を行わずに、複数チャンネル分離れた周波数チャンネルを、次に切り換える周波数チャンネルとして設定する。又、前記信号強度が前記第１閾値以上となるとき、前記タイミング及び前記第２の拡散符号の特定を行った後、隣接する周波数チャンネルを、次に切り換える周波数チャンネルとして設定する。
【００１４】
又、前記第１の拡散符号に同期する前記送信信号の信号強度が測定され、該信号強度を所定の第２閾値と比較することで、次に受信する周波数チャンネルを決定するようにしても構わない。
【００１５】
このとき、前記信号強度が前記第２閾値以上となるとき、この周波数チャンネルを利用する基地局があり、この周波数チャンネル近辺のチャンネルを利用する基地局が検索されないと判断され、複数チャンネル分離れた周波数チャンネルを、次に切り換える周波数チャンネルとして設定する。又、前記信号強度が前記第２閾値より低くなるとき、隣接する周波数チャンネルを、次に切り換える周波数チャンネルとして設定する。
【００１６】
又、前記第２の拡散符号に同期する前記送信信号の信号強度が測定され、該信号強度を所定の第３閾値と比較することで、次に受信する周波数チャンネルを決定するようにしても構わない。
【００１７】
このとき、前記信号強度が前記第３閾値以上となるとき、この周波数チャンネルを利用する基地局があり、この周波数チャンネル近辺のチャンネルを利用する基地局が検索されないと判断され、複数チャンネル分離れた周波数チャンネルを、次に切り換える周波数チャンネルとして設定する。又、前記信号強度が前記第３閾値より低くなるとき、隣接する周波数チャンネルを、次に切り換える周波数チャンネルとして設定する。
【００１８】
更に、前記第１の拡散符号に同期する前記送信信号の信号強度が測定され、該信号強度を所定の第４閾値と比較する段階を有し、前記第１の拡散符号に同期する前記送信信号の前記信号強度と前記第４閾値との比較結果によって、前記基地局からの送信信号のタイミングを特定した後に次に受信する周波数チャンネルを決定するか、又は、前記基地局固有の第２の拡散符号を特定した後に次に受信する周波数チャンネルを決定するかを、決定するようにしても構わない。
【００１９】
又、本発明のサーチ方法は、全基地局共通の第１の拡散信号を用いて基地局からの送信信号のタイミングを特定する段階と、前記各基地局固有の第２の拡散符号を含む複数の第２の拡散符号を用いて前記送信信号を逆拡散するための前記各基地局固有の第２の拡散符号を特定する段階とを有するとともに、受信する周波数チャンネルを切り換えて基地局を検索するサーチ方法において、受信した前記基地局からの送信信号の信号強度を測定する段階と、測定した前記信号強度を、所定の閾値と比較する段階と、受信する前記周波数チャンネルを決定する段階と、を有し、前記信号強度と前記所定の閾値との比較結果によって、前記基地局からの送信信号のタイミングを特定した後に次に受信する周波数チャンネルを決定するか、又は、前記基地局固有の第２の拡散符号を特定した後に次に受信する周波数チャンネルを決定するかを、決定することを特徴とする。
【００２０】
このようなサーチ方法において、前記第１の拡散符号に同期する前記送信信号の前記信号強度が測定され、該信号強度を前記所定の閾値と比較するようにしても構わない。
【００２１】
このとき、前記信号強度が前記所定の閾値以上となるとき、この周波数チャンネルを利用する基地局があると判断され、前記基地局固有の第２の拡散符号を特定する。又、前記信号強度が前記所定の閾値より低くなるとき、この周波数チャンネルを利用する基地局がないと判断され、前記基地局固有の第２の拡散符号の特定動作が行われない。
【００２２】
又、上述した各サーチ方法において、セルサーチを２段階のセルサーチとしても構わないし、前記第２の拡散符号を特定する段階が、第３の拡散符号を用いて、前記基地局固有の第２の拡散符号の属するグループを判定する段階と、該グループ内の複数の第２の拡散符号より、前記各基地局固有の第２の拡散符号を特定する段階とによって、構成される３段階のセルサーチとしても構わない。
【００２３】
本発明の通信端末装置は、周波数チャンネルを切り換えて基地局からの送信信号を受信する無線部と、前記無線部で受信された送信信号から前記基地局の検索を行うサーチャ部と、前記無線部及び前記サーチャ部の制御を行う制御部とを有し、受信する前記周波数チャンネルを切り換えて、切り換えた前記周波数チャンネル毎に、全基地局共通の第１の拡散符号を用いて基地局からの送信信号のタイミングを特定した後に、前記各基地局固有の第２の拡散符号を含む複数の第２の拡散符号を用いて前記送信信号を逆拡散するための前記各基地局固有の第２の拡散符号を特定して、基地局を検索する通信端末装置において、前記送信信号の信号強度を測定する信号強度測定部と、所定の閾値を有するとともに、前記信号強度測定部で測定された前記送信信号の信号強度を前記所定の閾値と比較して、比較結果を前記制御部に送出する信号強度比較部と、を有し、前記制御部が、前記信号強度比較部より与えられる前記比較結果より、次に受信する周波数チャンネルを決定して、前記無線部を制御することを特徴とする。
【００２４】
このような通信端末装置において、前記信号強度測定部において、前記無線部で受信されている前記周波数チャンネルの周波数帯域全域における前記送信信号の前記信号強度が測定されるようにしても構わない。このとき、前記制御部が前記無線部より出力される送信信号の信号レベルが一定になるように、ＡＧＣ（Auto Gain Control）制御が行われ、そのＡＧＣアンプゲイン値が前記信号強度測定部に与えられて、前記信号強度が測定される。
【００２５】
又、前記信号強度測定部において、前記サーチャ部において、前記第１の拡散符号に同期した前記送信信号の前記信号強度が測定されるようにしても構わない。このとき、前記信号強度測定部に、前記サーチャ部で第１の拡散符号によって逆拡散して得られた相関出力値とＡＧＣアンプゲイン値が与えられて、前記信号強度が測定される。
【００２６】
又、前記信号強度測定部において、前記サーチャ部において、前記第２の拡散符号に同期した前記送信信号の前記信号強度が測定されるようにしても構わない。このとき、前記信号強度測定部に、前記サーチャ部で第２の拡散符号によって逆拡散して得られた相関出力値とＡＧＣアンプゲイン値が与えられて、前記信号強度が測定される。
【００２７】
更に、前記信号強度測定部において、前記サーチャ部において、前記第１の拡散符号に同期した前記送信信号の前記信号強度が測定され、前記制御部において、前記信号強度比較部における前記第１の拡散符号に同期する前記送信信号の前記信号強度と前記所定の閾値との比較結果によって、前記各基地局固有の第２の拡散符号を特定を行うか否かを決定して、前記サーチャ部を制御するようにしても構わない。
【００３０】
又、上述の通信端末装置において、この通信端末装置で行われるセルサーチを２段階のセルサーチとしても構わないし、前記第２の拡散符号を特定する際、第３の拡散符号を用いて、前記基地局固有の第２の拡散符号の属するグループを判定した後に、該グループ内の複数の第２の拡散符号より、前記各基地局固有の第２の拡散符号を特定する３段階のセルサーチとしても構わない。
【００３１】
【発明の実施の形態】
本発明の実施の形態について、以下に説明する。
【００３２】
＜通信端末装置の構成＞
まず、以下の第１〜第５の実施形態において共通となる通信端末装置の構成について、図面を参照して説明する。図１は、本発明の通信端末装置の内部構成を示すブロック図である。尚、図１の通信端末装置において、図７の通信端末装置と同一の目的で使用する部分については、同一の符号を付す。
【００３３】
図１の通信端末装置は、基地局からの送信信号を受信するアンテナ１と、制御部７で設定された受信周波数の送信信号を選局する無線部２と、無線部２で選局された送信信号をデジタル信号に変換するＡ／Ｄ変換器３と、ＰＮ拡散符号に基づいてＡ／Ｄ変換器３からのデジタル信号を逆拡散する逆拡散同期部４と、パス毎に得られるとともに逆拡散同期部４で逆拡散されたデジタル信号をレイク合成した後に同期検波して復調する情報復調部５とを有する。
【００３４】
よって、アンテナ１で受信される基地局からの送信信号が、無線部２において、同様に設定されたパスに応じたタイミング毎に、設定されたセルによる受信周波数で選局される。このタイミング及び受信周波数は、制御部７によって設定される。又、無線部２はＡＧＣ（Auto Gain Controller）アンプを備え、受信する基地局からの送信信号のゲインを一定にするように、ＡＧＣアンプゲイン値が制御部７に制御される。
【００３５】
そして、無線部２で選局された送信信号が、Ａ／Ｄ変換器３でデジタル信号に変換されると、まず、逆拡散同期部４において、サーチャ部６によって設定されたＰＮ拡散符号によって逆拡散が成された後、次に、情報復調部５において、パス毎に得られる逆拡散されたデジタル信号がレイク合成された後、同期検波されることによって、復調され、復調データが得られる。このように、基地局からの送信信号を受信してから復調データに復調するまでの動作については、第１〜第５の各実施形態において、共通の動作となる。
【００３６】
又、図１の通信端末装置は、セルサーチを行いセル及びパスを設定するサーチャ部６と、無線部２及びサーチャ部６の制御を行う制御部７と、受信した基地局からの送信信号のレベルの強度を測定する信号強度測定部８と、信号強度測定部８で測定されたレベルの強度を設定値と比較して制御部７に比較結果を送出する信号強度比較部９とを有する。
【００３７】
このように構成されるとき、サーチャ部６には、Ａ／Ｄ変換器３からのデジタル信号を与えられ、このデジタル信号に基づいてセルサーチを行うことによって、セルとパスの設定を行う。又、制御部７は、サーチャ部６のセルサーチ動作を制御するとともに、Ａ／Ｄ変換器３からのデジタル信号のレベルに基づいて、無線部２のＡＧＣアンプゲイン値の制御を施す。又、制御部７は、信号強度測定部８の動作の制御も行う。
【００３８】
尚、サーチャ部６、制御部７、信号強度測定部８、及び信号強度比較部９それぞれによるセルサーチ動作については、以下の第１〜第５の実施形態で説明する。又、第１〜第５の実施形態において、６０ＭＨｚの周波数帯域内に２９９の周波数チャンネルが設定されるとともに３ＧＰＰで規格された次世代ＣＤＭＡ移動通信システムが用いられているものとする。又、周波数チャンネルの番号を便宜上０〜２９８と定義する。又、説明を簡単にするために、受信周波数毎に決定されるチャンネルを「受信周波数チャンネル」、同一周波数の送信信号において、拡散符号によって決定されるチャンネルを「コードチャンネル」と呼ぶ。
【００３９】
＜第１の実施形態＞
図１のように構成された通信端末装置の第１の実施形態について、図面を参照して、説明する。図２は、本実施形態の通信端末装置のセルサーチ動作を示すフローチャートである。
【００４０】
通信端末装置の電源がＯＮされたときや通信可能圏外にあった通信端末装置が通信可能圏内に移動したときなどにおいて、制御部７がセルサーチを開始するように、無線部２及びサーチャ部６の制御を行う。まず、受信周波数チャンネルfidを０番に設定する（ＳＴＥＰ１）。よって、受信周波数チャンネル０番の受信周波数で無線部２が選局を行う。このとき、無線部２において受信周波数チャンネル０番で選局された信号がＡ／Ｄ変換器３でデジタル信号に変換されて、逆拡散同期部４，サーチャ部６、制御部７それぞれに送出される。
【００４１】
そして、制御部７は、サーチャ部６に対して、３段階のセルサーチの第１ステージを実行要求する（ＳＴＥＰ２）。この第１ステージとは、全基地局で共通とされる第１の拡散符号を用いて基地局からの送信信号のタイミングを特定する段階である。即ち、サーチャ部６において、Ａ／Ｄ変換器３からのデジタル信号から第１の拡散符号成分を抽出するために、第１の拡散符号によって逆拡散が行われ、その相関出力のピークのタイミングとその出力値が検出される。
【００４２】
ＳＴＥＰ１及びＳＴＥＰ２の動作が行われている際、制御部７は、Ａ／Ｄ変換器３からのデジタル信号のレベルを測定して、このデジタル信号のレベルが常に一定になるように、無線部２のＡＧＣ制御を行う。即ち、制御部７は、無線部２におけるＡＧＣアンプゲイン値を、Ａ／Ｄ変換器３からのデジタル信号のレベルに応じて制御する。そして、この無線部２で設定されるＡＧＣアンプゲイン値が信号強度測定部８に送出されて、無線部２で受信される送信信号のレベル強度RSSIが算出される（ＳＴＥＰ３）。
【００４３】
設定された受信周波数チャンネルの送信信号における信号強度測定部８で算出されたレベル強度RSSIが信号強度比較部９に送出されると、予め設定されたレベル強度の設定値rssiと比較される（ＳＴＥＰ４）。このとき、レベル強度RSSIが設定値rssi以上となると（Ｙｅｓ）、制御部７によって設定された受信周波数チャンネルを利用した基地局からの送信信号があるものと判断される。そして、サーチャ部６で第１の拡散符号によって逆拡散された際の相関出力値と、制御部７で設定されたＡＧＣアンプゲイン値とが、信号強度測定部８に送出されて、コードチャンネルにおけるデジタル信号のレベル強度SCHが算出される（ＳＴＥＰ５）。
【００４４】
信号強度測定部８で算出されたコードチャンネルにおける信号のレベル強度SCHが信号強度比較部９に送出されると、予め設定されたレベル強度の設定値sch1と比較される（ＳＴＥＰ６）。このとき、レベル強度SCHが設定値sch1以上となると（Ｙｅｓ）、現在検索中の受信周波数チャンネルを利用した基地局からの送信信号がある可能性があるものと判断される。そして、制御部７は、サーチャ部６に対して、３段階のセルサーチの第２ステージを実行要求する（ＳＴＥＰ７）。
【００４５】
この第２ステージとは、全基地局で共通とされる１６種類の第３の拡散符号を用いて各基地局固有の第２の拡散符号の属するグループを特定する段階である。即ち、サーチャ部６において、Ａ／Ｄ変換器３からのデジタル信号から第３の拡散符号成分を抽出するために、第１ステージで検出したタイミングで、第３の拡散符号を用いて逆拡散が行われる。そして、その相関出力値から、基地局固有の第２の拡散符号の属するグループとそのタイミングが検出される。
【００４６】
その後、制御部７は、サーチャ部６に対して、３段階のセルサーチの第３ステージを実行要求する（ＳＴＥＰ８）。この第３ステージとは、第２ステージで検出されたグループに属する複数の第２の拡散符号を用いて、この複数の第２の拡散符号から１つの第２の拡散符号を特定する段階である。即ち、サーチャ部６において、Ａ／Ｄ変換器３からのデジタル信号から、基地局固有の第２の拡散符号成分を抽出するために、第１ステージで検出したタイミングで、第２ステージで検出された複数の第２の拡散符号によって逆拡散が行われる。そして、その相関出力値から、基地局固有の第２の拡散符号が検出される。
【００４７】
ＳＴＥＰ７及びＳＴＥＰ８の動作が行われると、サーチャ部６で第２のステージで得られた第２の拡散符号によって逆拡散された際の相関出力値と、制御部７で設定されたＡＧＣアンプゲイン値とが、信号強度測定部８に送出されて、コードチャンネルにおけるデジタル信号のレベル強度CPICHが算出される（ＳＴＥＰ９）。
【００４８】
信号強度測定部８で算出されたコードチャンネルにおける信号のレベル強度CPICHが信号強度比較部９に送出されると、予め設定されたレベル強度の設定値cpichと比較される（ＳＴＥＰ１０）。このとき、レベル強度CPICHが設定値cpichより低くいとき（Ｎｏ）、設定されたコードチャンネルを利用した基地局からの送信信号がない疑いがあるものと判断される。
【００４９】
そして、信号強度比較部９は、ＳＴＥＰ５において信号強度測定部８で算出されたコードチャンネルにおける信号のレベル強度SCHを、設定値sch1より高いレベルに予め設定されたレベル強度の設定値sch2と比較される（ＳＴＥＰ１１）。このとき、レベル強度SCHが設定値sch2より低いとき（Ｎｏ）、設定されたコードチャンネルを利用した基地局からの送信信号がないものと判断される。そして、制御部１８は、受信周波数チャンネルfidを１加算して、隣接した受信周波数チャンネルを次に調べる受信周波数チャンネルとして設定する（ＳＴＥＰ１２）。
【００５０】
又、ＳＴＥＰ６でレベル強度SCHが設定値sch1より低くなるとき（Ｎｏ）も同様に、現在検索中の受信周波数チャンネルを利用した基地局からの送信信号がないものと判断される。そして、制御部１８は、受信周波数チャンネルfidを１加算して、隣接した受信周波数チャンネルを次に調べる受信周波数チャンネルとして設定する（ＳＴＥＰ１２）。
【００５１】
更に、ＳＴＥＰ４でレベル強度RSSIが設定値rssiより低くなるとき（Ｎｏ）、又は、ＳＴＥＰ１０でレベル強度CPICHが設定値cpich以上となるとき（Ｙｅｓ）、又、ＳＴＥＰ１１でレベル強度SCHが設定値sch2以上となるとき（Ｙｅｓ）、制御部１８は、受信周波数チャンネルfidにfdeltaを加算した受信周波数チャンネルを次に調べる受信周波数チャンネルとして設定する（ＳＴＥＰ１３）。尚、fdeltaは、２０〜２５ぐらいが望ましい。
【００５２】
即ち、レベル強度RSSIが設定値rssiより低くなるときは、現在調査中の周波数チャンネル付近のチャンネルを利用した基地局がないものと判断される。又、レベル強度CPICHが設定値cpich以上となるときや、レベル強度SCHが設定値sch2以上となるときは、このときのコードチャンネルを利用した基地局からの送信信号があるものと判断される。そして、通信端末装置周辺における現在検索中の受信周波数チャンネルを利用する基地局以外の基地局が利用する受信周波数チャンネルが、現在検索中の受信周波数チャンネル付近の周波数でないと判断される。
【００５３】
ＳＴＥＰ１２又はＳＴＥＰ１３で、制御部７による受信周波数チャンネルfidの設定が行われて、無線部２が制御されると、制御部７では、設定した受信周波数チャンネルfidが２９９より小さいか否か判断する（ＳＴＥＰ１４）。このとき、受信周波数チャンネルfidが２９９より小さいと（Ｙｅｓ）、再度、ＳＴＥＰ２以降の動作が行われ、設定された受信周波数チャンネルにおいて、セルサーチ動作が行われる。又、受信周波数チャンネルfidが２９９となると（Ｎｏ）、セルサーチ動作が終了される。
【００５４】
このように、セルサーチ動作が行われると、ＳＴＥＰ１０でレベル強度CPICHが設定値cpich以上となるときに得られるコードチャンネル、又は、ＳＴＥＰ１１でレベル強度SCHが設定値sch2以上となるときに得られるコードチャンネルのうち、最適なものを選択する。そして、そのコードチャンネルを利用する基地局からの送信信号を受信するようにして、最終的にセル及びパスの設定を行う。このようにセル及びパスの設定を行うと、上述したように、基地局からの送信信号を受信する。
【００５５】
＜第２の実施形態＞
図１のように構成された通信端末装置の第２の実施形態について、図面を参照して、説明する。図３は、本実施形態の通信端末装置のセルサーチ動作を示すフローチャートである。尚、図３において、図２と同様の目的のステップについては、同一の符号を付す。
【００５６】
本実施形態の通信端末装置のセルサーチ動作では、図３のフローチャートに示すように、図２のフローチャートにおけるＳＴＥＰ５，ＳＴＥＰ６，ＳＴＥＰ９〜ＳＴＥＰ１１の動作が省略されている。即ち、ＳＴＥＰ４で、信号強度比較部９において、設定された周波数チャンネルの送信信号における信号強度測定部８で算出されたレベル強度RSSIが、設定値rssiと比較されて、設定された周波数チャンネルを利用する基地局のサーチを行う。
【００５７】
そして、設定された周波数チャンネルを利用する基地局が付近にあるものと判断されると（Ｙｅｓ）、ＳＴＥＰ７及びＳＴＥＰ８で３段階のセルサーチ動作の第２ステージ及び第３ステージを実行した後、ＳＴＥＰ１２で隣接した受信周波数チャンネルを次に調べる受信周波数チャンネルとして設定する。又、設定された周波数チャンネルを利用する基地局が付近にないものと判断されると（Ｎｏ）、ＳＴＥＰ１３で受信周波数チャンネルfidにfdeltaを加算した受信周波数チャンネルを次に調べる受信周波数チャンネルとして設定する。
【００５８】
このように、セルサーチ動作が行われると、ＳＴＥＰ４でレベル強度RSSIが設定値rssi以上となるときに得られるコードチャンネルのうち、最適なものを選択する。そして、そのコードチャンネルを利用する基地局からの送信信号を受信するようにして、最終的にセル及びパスの設定を行う。このようにセル及びパスの設定を行うと、上述したように、基地局からの送信信号を受信する。
【００５９】
＜第３の実施形態＞
図１のように構成された通信端末装置の第３の実施形態について、図面を参照して、説明する。図４は、本実施形態の通信端末装置のセルサーチ動作を示すフローチャートである。尚、図４において、図２と同様の目的のステップについては、同一の符号を付す。
【００６０】
本実施形態の通信端末装置のセルサーチ動作では、図４のフローチャートに示すように、図２のフローチャートにおけるＳＴＥＰ３，ＳＴＥＰ４，ＳＴＥＰ９〜ＳＴＥＰ１１，ＳＴＥＰ１３の動作が省略されている。即ち、ＳＴＥＰ６で、信号強度比較部９において、設定されたコードチャンネルの送信信号における信号強度測定部８で算出されたレベル強度SCHが、設定値sch1と比較されて、設定されたコードチャンネルを利用する基地局のサーチを行う。
【００６１】
そして、設定された受信周波数チャンネルを利用する基地局が付近にあるものと判断されると（Ｙｅｓ）、ＳＴＥＰ７及びＳＴＥＰ８で３段階のセルサーチ動作の第２ステージ及び第３ステージを実行した後、ＳＴＥＰ１２で隣接した受信周波数チャンネルを次に調べる受信周波数チャンネルとして設定する。又、設定された周波数チャンネルを利用する基地局が付近にないものと判断されると（Ｎｏ）、直接ＳＴＥＰ１２に移行して、隣接した受信周波数チャンネルを次に調べる受信周波数チャンネルとして設定する。
【００６２】
このように、セルサーチ動作が行われると、ＳＴＥＰ６でレベル強度SCHが設定値sch1以上となるときに得られるコードチャンネルのうち、最適なものを選択する。そして、そのコードチャンネルを利用する基地局からの送信信号を受信するようにして、最終的にセル及びパスの設定を行う。このようにセル及びパスの設定を行うと、上述したように、基地局からの送信信号を受信する。
【００６３】
＜第４の実施形態＞
図１のように構成された通信端末装置の第４の実施形態について、図面を参照して、説明する。図５は、本実施形態の通信端末装置のセルサーチ動作を示すフローチャートである。尚、図５において、図２と同様の目的のステップについては、同一の符号を付す。
【００６４】
本実施形態の通信端末装置のセルサーチ動作では、図５のフローチャートに示すように、図２のフローチャートにおけるＳＴＥＰ３〜ＳＴＥＰ６，ＳＴＥＰ１１の動作が省略されている。即ち、ＳＴＥＰ１０で、信号強度比較部９において、設定されたコードチャンネルの送信信号における信号強度測定部８で算出されたレベル強度CPICHが、設定値cpichと比較されて、設定されたコードチャンネルを利用する基地局のサーチを行う。
【００６５】
そして、設定された周波数チャンネルを利用する基地局が付近にないものと判断されると（Ｎｏ）、ＳＴＥＰ１２で隣接した受信周波数チャンネルを次に調べる受信周波数チャンネルとして設定する。又、設定されたコードチャンネルを利用する基地局が付近にあるものと判断されると（Ｙｅｓ）、ＳＴＥＰ１３で受信周波数チャンネルfidにfdeltaを加算した受信周波数チャンネルを次に調べる受信周波数チャンネルとして設定する。
【００６６】
このように、セルサーチ動作が行われると、ＳＴＥＰ１０でレベル強度CPICHが設定値cpich以上となるときに得られるコードチャンネルのうち、最適なものを選択する。そして、そのコードチャンネルを利用する基地局からの送信信号を受信するようにして、最終的にセル及びパスの設定を行う。このようにセル及びパスの設定を行うと、上述したように、基地局からの送信信号を受信する。
【００６７】
＜第５の実施形態＞
図１のように構成された通信端末装置の第５の実施形態について、図面を参照して、説明する。図６は、本実施形態の通信端末装置のセルサーチ動作を示すフローチャートである。尚、図６において、図２と同様の目的のステップについては、同一の符号を付す。
【００６８】
本実施形態の通信端末装置のセルサーチ動作では、図６のフローチャートに示すように、図２のフローチャートにおけるＳＴＥＰ３，ＳＴＥＰ４，ＳＴＥＰ６，ＳＴＥＰ９，ＳＴＥＰ１０の動作が省略されている。即ち、ＳＴＥＰ１１で、信号強度比較部９において、設定されたコードチャンネルの送信信号における信号強度測定部８で算出されたレベル強度SCHが、設定値sch2と比較されて、設定されたコードチャンネルを利用する基地局のサーチを行う。
【００６９】
そして、設定された周波数チャンネルを利用する基地局が付近にないものと判断されると（Ｎｏ）、ＳＴＥＰ１２で隣接した受信周波数チャンネルを次に調べる受信周波数チャンネルとして設定する。又、設定されたコードチャンネルを利用する基地局が付近にあるものと判断されると（Ｙｅｓ）、ＳＴＥＰ１３で受信周波数チャンネルfidにfdeltaを加算した受信周波数チャンネルを次に調べる受信周波数チャンネルとして設定する。
【００７０】
このように、セルサーチ動作が行われると、ＳＴＥＰ１１でレベル強度SCHが設定値sch2以上となるときに得られるコードチャンネルのうち、最適なものを選択する。そして、そのコードチャンネルを利用する基地局からの送信信号を受信するようにして、最終的にセル及びパスの設定を行う。このようにセル及びパスの設定を行うと、上述したように、基地局からの送信信号を受信する。
【００７１】
このように、第１、第２、第４、及び第５の実施形態においては、サーチする受信周波数チャンネルを、ＳＴＥＰ１３において、複数チャンネル毎にとばして設定することができる。又、第１及び第３の実施形態においては、サーチする受信周波数チャンネルにおいて、第２ステージ及び第３ステージの動作を実施するか否かを設定することができる。よって、従来のように、各受信周波数チャンネルにおいて、第１〜第３ステージ全ての動作を実施する必要がないため、セルサーチにかかる時間及び消費電力を低減することができる。
【００７２】
尚、第１〜第５の実施形態において、３段階のセルサーチを行う場合について説明したが、２段階のセルサーチを行う場合については、ＳＴＥＰ７の第２ステージの動作を省略すればよい。又、コードチャンネルにおける送信信号のレベル強度SCH及びレベル強度CPICHについては、そのコードチャンネルを含む受信周波数チャンネル全体の受信レベルに対してのコードチャンネルの受信レベルの比を表すEc/Io、コードチャンネルの受信レベルを表すRSCP、又は、コードチャンネルの受信レベルとノイズとの比を表すSIRのいずれかを用いればよい。
【００７３】
【発明の効果】
本発明によると、信号強度を測定し、設定値との比較結果によって、次に基地局を検索する周波数チャンネルを決定することができる。よって、１チャンネル毎に全周波数チャンネルについて、基地局の検索を行う必要がないので、基地局を検索する周波数チャンネルの数を制限することができる。又、セルサーチの各段階を実行するか否かを制御することができる。よって、全周波数チャンネルにおいて、セルサーチの全段階を行う必要がない。以上より、送信信号を受信するための基地局を検索するためのセルサーチにかかる時間を短縮することができるとともに、セルサーチにかかる消費電力を低減させることができる。
【図面の簡単な説明】
【図１】本発明の通信端末装置の要部の内部構成を示すブロック図。
【図２】第１の実施形態の通信端末装置のセルサーチ動作を示すフローチャート。
【図３】第２の実施形態の通信端末装置のセルサーチ動作を示すフローチャート。
【図４】第３の実施形態の通信端末装置のセルサーチ動作を示すフローチャート。
【図５】第４の実施形態の通信端末装置のセルサーチ動作を示すフローチャート。
【図６】第５の実施形態の通信端末装置のセルサーチ動作を示すフローチャート。
【図７】従来の通信端末装置の要部の内部構成を示すブロック図。
【符号の説明】
１    アンテナ
２    無線部
３    Ａ／Ｄ変換器
４    逆拡散同期部
５    情報復調部
６    サーチャ部
７    制御部
８    信号強度測定部
９    信号強度比較部
【図１】
0003703404.tif 000002
【図２】
0003703404.tif 000003
【図３】
0003703404.tif 000004
【図４】
0003703404.tif 000005
【図５】
0003703404.tif 000006
【図６】
0003703404.tif 000007
【図７】
0003703404.tif 000008